(57)【要約】【課題】    凹部内における表示パネルの位置決めが正確かつ簡便にできるフレームケースを提供すること。【解決手段】    少なくとも液晶表示パネル３を収納する凹部４（５）が形成されたフレームケースであって、前記凹部４（５）は底壁５ａと該底壁５ａに立設する端壁５ｂ、５ｃとで構成されているフレームケース１において、前記凹部４（５）を構成する一対の端壁５ｂ、５ｃのうち一方の端壁５ｂを基準端壁とし、前記基準端壁５ｂの内側面上部に、該基準端壁５ｂの内側面から外側面に向かって上方に傾斜するように切欠かれたテーパ面８を形成する。【選択図】      図１
2006126223.tif 000002
【特許請求の範囲】
【請求項１】
表示パネルを収納する凹部が形成されたフレームケースであって、前記凹部は底壁と該底壁に立設する端壁とで構成されているフレームケースにおいて、前記凹部を構成する一対の端壁のうち一方の端壁を基準端壁とし、前記基準端壁の内側面上部に、該基準端壁の内側面から外側面に向かって上方に傾斜するように切欠かれたテーパ面が形成されていることを特徴とするフレームケース。
【請求項２】
前記テーパ面は、前記凹部の底壁上面から前記テーパ面下端までの高さ寸法をｄとし、前記凹部の底壁上面から前記基準端壁上端までの高さ寸法をｈとしたときに、
０≦ｄ≦ｈ／３
の関係式を満たすように形成されている請求項１に記載のフレームケース。
【請求項３】
前記凹部の底壁上面に配設された接着材によって、前記表示パネルが貼着されている請求項２に記載のフレームケース。
【請求項４】
前記接着材は、前記基準端壁の近傍領域を除いて前記凹部の底壁上面に配設されている請求項３に記載のフレームケース。
【発明の詳細な説明】
【技術分野】
【０００１】
本発明は、表示パネルを適正な位置に正しく収納することのできるフレームケースに関する。
【背景技術】
【０００２】
一対の透明基板間に液晶を封止してなり、前記一対の透明基板の所定の部分に選択的に電界を与えて特定の図形や文字等の情報を表示する液晶表示パネルが内蔵された液晶表示装置が、携帯電話やＰＤＡ（Personal Digital Assistant）等の表示装置として多く用いられている。
【０００３】
このような表示装置は、例えば液晶表示装置においては、フレームケース内に電気回路系等を組み込んだ液晶表示パネルを、その表示領域が前記フレームケースの上面に位置するようにして配設させるとともに、前記液晶表示パネルの反視認側にバックライトユニットを配置させた構成とされている。
【０００４】
前記フレームケースは、液晶表示パネルやバックライトユニットの構成部品を収納する凹部が形成された筐体とされており、前記凹部内にはバックライトユニットおよび液晶表示パネルが貼着され、固定された状態で収納される。
【０００５】
ここで、前記バックライトユニットは、入射面から内部へ入射した光を前記液晶表示パネルの表示領域に向う平面光として照射する導光板、前記導光板の裏面から漏れる光を前記導光板に反射させて戻すための反射フィルム、前記導光板から照射される光を拡散させるための拡散フィルム、輝度を上昇させるための２枚の光学フィルムおよびＬＥＤやＣＣＴ（冷陰極蛍光管）などの光源から構成されている。
【０００６】
詳しくは、前記フレームケースの凹部の底壁上面には前記反射フィルムが遮光性の両面テープによって固着されて収納されている。そして、前記反射フィルムの上面には前記導光板、前記導光板の上面には拡散フィルム、前記拡散フィルムの上面には２枚の光学フィルムがそれぞれ積層され、それぞれの部品間に介在させた枠状の遮光性の両面テープによって貼着された状態で、前記バックライトユニットを構成し、前記凹部内に収納されている。
【０００７】
また、前記バックライトユニットの上面には、前記液晶表示パネルが積層され、枠状の遮光性の両面テープによって貼着された状態で、同じく前記凹部内に収納されている。
【０００８】
前記液晶表示パネルは、互いに対向する面に透明電極が形成された一対の透明基板を、これらの透明基板の周辺部に塗布されたシール材により一体に貼り合わせ、これら各透明基板の間にギャップ材や液晶を注入密封した後、各透明基板の外側面に偏光板を貼着することにより構成されている。
【０００９】
そして、前記光源を前記バックライトユニット外に配設される回路基板から電極端子を通じて供給される電力によって発光させ、前記光源から発光される照射光を、前記導光板により面光源として機能させ、前記液晶表示パネルに均一に照射光を照射させるように構成されている。
【００１０】
ところで、前記フレームケースの凹部の内径寸法と前記液晶表示パネルの外形寸法は、前記フレームケース内に収納された前記液晶表示パネルの位置ずれ防止や狭額縁化の観点から、その寸法差はなるべく小さくなるようにして設定される。そして、前記フレームケース内に液晶表示パネルを収納する際、液晶表示パネルを略水平状態に保持した状態で前記フレームケースの凹部内のバックライトユニットの上面に積層することは困難である。
【００１１】
そのため、従来においては、前記フレームケース内に液晶表示パネルを収納する際には、フレームケースの一端壁の内側面を液晶表示パネルの収納時の基準面とし、前記フレームケースの一端壁側に位置する前記液晶表示パネルの一端部側を他端部側よりも前記フレームケースに近接するように傾斜させた状態に保持して、前記液晶表示パネルの一端部側を前記基準面に当接させ、前記液晶表示パネルの一端部側の端面下辺を前記凹部内に収納されたバックライトの上面に当接させる。そして、なるべく前記基準面の近傍に前記液晶表示パネルの一端部側を位置させるべく、前記液晶表示パネルと前記基準面との当接部位を中心軸として前記液晶表示パネルの他端部側を前記凹部内へ回動させ、前記液晶表示パネルの端面下辺を前記基準面へ引き寄せるように試み、最終的に、前記凹部内のバックライトユニットの上面に液晶表示パネルを積層するようにしていた。
【００１２】
【特許文献１】特開平１１−２３１２９０号公報
【特許文献２】特開２００２−３２８６１９号公報
【発明の開示】
【発明が解決しようとする課題】
【００１３】
しかしながら、実際には、前記フレームケースの一端壁側に位置する一端部側が他端部側よりも前記フレームケースに近接するように傾斜させた状態に保持された液晶表示パネルは、その収納の際に、前記液晶表示パネルの一端部側の端面上辺が前記基準面に当接してしまうため、それを避けようとすれば、前記液晶表示パネルの一端部側の端面下辺を前記基準面から離間させて配置させるしかなかった。また、その際に、前記液晶表示パネルの一端部側の端面下辺は、前記バックライトの上面に配設された両面テープ等の接着材に当接するため、前記液晶表示パネルと前記基準面との当接部位を中心軸として前記液晶表示パネルの他端部側を前記凹部内へ回動させ、前記端面下辺を前記基準面へ引き寄せようとしても、前記液晶表示パネルの一端部側の端面下辺を前記基準面の方向へスライドさせることは困難であった。
【００１４】
このように、従来のフレームケースに対する表示パネルの組み込み作業によれば、前記基準面と表示パネルの一端部側端面との間に間隙が形成されてしまい、表示パネルの位置決めを正確に行うことができなかった。また、フレームケース内における表示パネルの位置ずれが生じた場合には、前記バックライトユニットを構成する前記拡散フィルムや光学フィルム等との関係で、輝度や輝度比に問題が生じ、表示装置の表示品質に悪影響を及ぼすことがあった。
【００１５】
そこで、本発明は、前記凹部内における前記表示パネルの位置決めが正確かつ簡便にできるフレームケースを提供することを目的とする。
【課題を解決するための手段】
【００１６】
前述した目的を達成するため、本発明のフレームケースは、表示パネルを収納する凹部が形成されたフレームケースであって、前記凹部は底壁と該底壁に立設する端壁とで構成されているフレームケースにおいて、前記凹部を構成する一対の端壁のうち一方の端壁を基準端壁とし、前記基準端壁の内側面上部に、該基準端壁の内側面から外側面に向かって上方に傾斜するように切欠かれたテーパ面が形成されていることを特徴とする。
【００１７】
その場合においては、さらに、前記テーパ面は、前記凹部の底壁上面から前記テーパ面下端までの高さ寸法をｄとし、前記凹部の底壁上面から前記基準端壁の上端までの高さ寸法をｈとしたときに、
０≦ｄ≦ｈ／３
の関係式を満たすように形成するとよい。
【００１８】
また、前記フレームケースには、前記凹部の底壁上面に配設された接着材によって、表示パネルを貼着するようにするとよい。
【００１９】
さらに、前記接着材は、前記基準端壁の近傍領域を除いた前記凹部の底壁上面に配設するとよい。
【発明の効果】
【００２０】
本発明のフレームケースによれば、表示パネルの前記凹部内への収納作業時に、前記凹部を構成する一対の端壁のうちの一方の端壁を前記凹部内における前記表示パネルの位置決め基準端壁とするとともに、前記基準端壁に形成されたテーパ面を利用し、表示パネルの一端部側の端面を前記テーパ面に当接させ、前記表示パネルの一端部側の端面とテーパ面の下辺との当接部位を中心軸として前記表示パネルの他端部側を前記凹部内へ回動させ、前記表示パネルの一端部側の端面下辺を前記基準端壁へ引き寄せることで、前記表示パネルを前記基準端壁の近くに配置させることが可能となる。よって、フレームケースの凹部内における表示パネルの位置決めを正確かつ簡便にすることが可能となる。
【００２１】
その際、前記テーパ面は、前記凹部の底壁上面から前記テーパ面下端までの高さ寸法をｄとし、前記凹部の底壁上面から前記基準端壁上端までの高さ寸法をｈとしたときに、０≦ｄ≦ｈ／３の関係式を満たすように形成することで、前記効果を、より確実かつ簡便に得ることが可能となる。
【００２２】
また、凹部内において表示パネルを接着材をもって貼着することで位置ずれを防止することもできるが、その場合、前記基準端壁の近傍領域に接着材を配設しなければ、前記表示パネルの前記凹部内への収納作業時に、前記表示パネルの一端部側の端面とテーパ面の下辺との当接部位を中心軸として前記表示パネルの他端部側を前記凹部内へ回動させ、前記一端部側の端面下辺を前記基準端壁の内側面へ引き寄せる際に、前記一端部側の端面下辺を接着材に当接させないようにすることができるので、前記表示パネルを表示パネルの載置面上で摺動させ易くなり、作業性を向上させることができるとともに、フレームケースの凹部内における表示パネルの位置決めをより確実に行うことが可能となる。
【発明を実施するための最良の形態】
【００２３】
本発明のフレームケースの実施形態は、液晶表示パネルおよびバックライトユニットを有する液晶表示装置に用いられるフレームケースであり、前記フレームケース内には、前記液晶表示パネルと前記バックライトユニットの少なくとも一部の構成部品が前記フレームケース内に収納されている。なお、前記液晶表示パネルおよびバックライトユニットはそれぞれ従来より公知の構成を有するものを用いることができ、その詳細な説明は省略して、以下では、本発明のフレームケースの実施形態を例示して説明する。
【００２４】
本実施形態のフレームケース１は、図１に示すように、前記液晶表示パネル３より略一回り大きな平面形状とされ、その上面の中央部に前記液晶表示パネル３を収納するため収納部４が形成された略四角枠状とされている。そして、本実施形態における前記フレームケース１の前記収納部４は、図１および図２に示すように、前記液晶表示パネル３を収納配置させるために凹状に形成された凹部５、前記凹部５の底壁５ａの前記液晶表示パネル３の表示領域に対応する位置に形成され、バックライトユニットの構成部品を収納するために凹状に形成されたバックライト収納部６により構成されている。
【００２５】
そして、前記フレームケース１は、液晶表示パネル３を収納する凹部５を構成する一対の端壁５ｂ、５ｃのうち、一方の端壁（以下、基準端壁）５ｂの内側面上部が、図３に示すように、前記基準端壁の内側面から外側面に向かって上方に傾斜するように切欠かれたテーパ面８として形成されている。そして、前記テーパ面８は、前記凹部５の底壁５ａ側に位置する下辺を、前記凹部５の底壁５ａの上面からの高さ寸法をｄとし、前記凹部５の底壁５ａの上面からの該端壁５ｂの高さ寸法をｈとした場合における、
０≦ｄ≦ｈ／３
の関係式を満たす高さ位置で、前記凹部５の底壁５ａ上面と平行に延在するようにして形成されている。
【００２６】
また、前記凹部５を構成する他の端壁（以下、他端壁）５ｃは、その延在方向の中央部に、前記液晶表示パネルに接続される外部接続端子基板をフレームケース１外に引き出すための開口部５ｄが形成されている。
【００２７】
そして、本実施形態のフレームケース１においては、バックライトユニットを収納するバックライト収納部６を構成する一対の端壁６ｂ、６ｃのうち、前記凹部５の他端壁５ｃと同じ端部側に位置する端壁６ｃも、前記凹部５の他端壁５ｃと同様に、その延在方向の中央部に、前記バックライトユニットに接続される外部接続部材等をフレームケース１外に引き出したり、ＬＥＤやＣＣＴ（冷陰極蛍光管）等の光源を配置させたりするための開口部６ｄが形成されている。なお、前記バックライト収納部６の深さ寸法は、このバックライト収納部６内に収納されるバックライトユニットの部材の積層時における総厚み寸法とほぼ同寸法とする。
【００２８】
そして、このように構成されたフレームケース１の前記収納部４には、液晶表示パネル２と前記バックライトユニットの構成部品である導光板、前記導光板の裏面から漏れる光を前記導光板に反射させて戻すための反射フィルム、前記導光板から照射される光を拡散させるための拡散フィルム、輝度を上昇させるための２枚の光学フィルムおよび前記バックライトユニットのＬＥＤやＣＣＴ（冷陰極蛍光管）などの光源（いずれも図示せず）が収納されている。
【００２９】
詳しくは、前記フレームケース１のバックライト収納部６の底壁６ａの上面には、前記光源が収納されている。そして、前記バックライト収納部６の底壁６ａの上面には前記反射フィルム、前記反射フィルムの上面には前記導光板、前記導光板の上面には拡散フィルム、前記拡散フィルムの上面には２枚の光学フィルムがそれぞれ積層され、また、各部品間に介在させた枠状の遮光性の両面テープ（図示せず）によって貼着された状態で、前記バックライト収納部６内に収納されている。このとき、前述のように前記バックライト収納部６の深さ寸法を該バックライト収納部６内に収納されるバックライトユニットの構成部材の積層時における総厚み寸法とほぼ同寸法とすることにより、前記バックライト収納部６内に収納されたバックライトユニットの構成部品であって最上層に積層された光学フィルムの上面を、前記凹部５の底壁５ａと面一に位置させることができる。
【００３０】
そして、前記バックライト収納部６に収納されたバックライトユニットの上面には、前記凹部５内に収納される液晶表示パネル３が積層される。その際、本実施形態においては、前記液晶表示パネル３は、前記バックライト収納部６の開口部６ａの周辺に枠状に位置することとなる前記凹部５の底壁５ａ上面に配設した遮光性の両面テープ１０により貼着され、前記凹部５内に収納されている。
【００３１】
以下、本実施形態のフレームケース１の構成から生じる作用効果を、３つの実施例で説明する。
【００３２】
実施例１：
図４は、前記凹部５の基準端壁５bの内側面に設けられた前記テーパ面８の底壁５ａ側に位置する下辺を前記凹部５の底壁５ａの上面上に位置させた本実施形態のフレームケース１の構成から生じる作用を説明するための要部断面である。
【００３３】
本実施形態のフレームケース１内に液晶表示パネル３を収納する際には、まず、フレームケース１の基準端壁５ｂの内側面を液晶表示パネルの収納時の基準面（本実施例の場合、基準端壁５ｂの前記テーパ面８の下辺は、底壁５ａ上面に一致することとなる）とし、前記液晶表示パネル３は、前記フレームケース１の基準端壁側に位置させる前記液晶表示パネルの一端部を他端部側よりも前記フレームケース１に近接するように傾斜させた状態に保持して、図４（ａ）に示すように、前記液晶表示パネル３の一端部側の端面下辺を前記凹部５内の底壁５ａの上面に当接させる。
【００３４】
このとき、本実施例においては、フレームケースの基準端壁５ｂの内側面上部に、前記フレームケース１の基準端壁側に位置させる一端部が、他端部側よりも前記フレームケース１に近接するように傾斜させた液晶表示パネル３の前記一端部側の端面上辺を逃げ込ませることができる空間部が形成される。この空間部を利用することにより、前記液晶表示パネル３の一端部側の端面下辺を前記凹部５内の底壁５ａの上面であり、前記基準端壁５ｂの下辺である部位に当接させる。そして、なるべく基準面としての前記基準端壁５ｂの内側面近傍に前記液晶表示パネル３の一端部側を位置させるべく、前記液晶表示パネル３の一端部側の端面下辺と前記凹部５の底壁５ａとの当接部（接線）を中心として、前記液晶表示パネル３の他端部側を前記凹部５内方向へ回動させるようにして、前記凹部５内に液晶表示パネル３を収納する。
【００３５】
このように、本実施例のフレームケース１によれば、前記フレームケース１の基準端壁の内側面に形成されるテーパ面を利用することにより、前記液晶表示パネル３の一端部側の端面下辺を前記凹部５内の底壁５ａの上面であり、前記基準端壁５ｂの下辺である部位に当接させることができるので、前記液晶表示パネル３を、前記液晶表示パネルの収納時の基準面となる前記フレームケース１の基準端壁５ｂの内側面との間に不要な隙間を介在させることなく、簡単に、前記凹部５内の適正位置に配置することができる。
【００３６】
実施例２：
図５は、前記凹部５の底壁５ａ側に位置する前記テーパ面の下辺を、前記凹部５の底壁５ａの上面からｈ／５の高さ寸法で位置させた本実施形態のフレームケース１の構成から生じる作用を説明するための要部断面である。
【００３７】
本実施例のフレームケース１内に液晶表示パネル３を収納する際には、まず、フレームケース１の基準端壁５ｂの内側面を液晶表示パネルの収納時の基準面とし、前記フレームケース１の基準端壁側に位置させる前記液晶表示パネル３の一端部を他端部側よりも前記フレームケース１に近接するように傾斜させた状態に保持して、前記液晶表示パネル３の一端部側の端面を前記基準端壁５ｂの内側面に当接させ、さらに、図５（ａ）に示すように、前記液晶表示パネル３の一端部側の端面下辺を前記凹部５内の底壁５ａの上面に当接させる。
【００３８】
このとき、本実施例においては、フレームケースの基準端壁５ｂの内側面上部に、前記フレームケース１の基準端壁側に位置させる一端部が他端部側よりも前記フレームケース１に近接するように傾斜させた液晶表示パネル３の前記一端部側の端面上辺を逃げ込ませることができる空間部が形成される。この空間部を利用することにより、前記液晶表示パネル３の一端部側の端面下辺を前記凹部５内の底壁５ａの上面に当接させる。そして、なるべく基準面としての前記基準端壁５ｂの内側面近傍に前記液晶表示パネル３の一端部側の端面を位置させるべく、前記液晶表示パネル３の一端部側の端面下辺と前記凹部５の底壁５ａ（このとき、前記液晶表示パネル３の一端部側の端面下辺は前記両面テープ１０を介して前記凹部５の底壁５ａに当接している）との当接部（接線）、あるいは前記液晶表示パネル３の一端部側の端面下辺とバックライトユニットの最上面との当接部（接線）を中心として、前記液晶表示パネル３の他端部側を前記凹部５内方向へ回動させるようにして、図５（ｂ）に示すように、前記凹部５内に液晶表示パネル３を収納する。
【００３９】
このように、本実施例のフレームケース１によれば、前記フレームケース１の基準端壁の内側面上部に形成されるテーパ面を利用することにより、前記液晶表示パネルを従来よりも格段に前記基準端壁５ｂの内側面近くに位置させることができるので、前記液晶表示パネル３を、前記液晶表示パネルの収納時の基準面となる前記フレームケース１の基準端壁５ｂの内側面との隙間を極小さいものとして、前記凹部５内の適正位置に配置することができる。
【００４０】
実施例３：
図６は、前記凹部５の底壁５ａ側に位置する前記テーパ面の下辺を、前記凹部５の底壁５ａの上面からｈ／３の高さ寸法で位置させた本実施形態のフレームケース１の構成から生じる作用を説明するための要部断面である。
【００４１】
なお、本実施例においては、前記液晶表示パネルを凹部内に貼着させるための接着材としての両面テープは、図３に示すように、前記基準端壁の近傍領域を除いた前記凹部５の底壁５ａの上面に配設されている。
【００４２】
そして、本実施例のフレームケース１内に液晶表示パネル３を収納する際には、まず、フレームケース１の基準端壁５ｂの内側面を液晶表示パネルの収納時の基準面とし、前記フレームケース１の基準端壁側に位置させる前記液晶表示パネル３の一端部を他端部側よりも前記フレームケース１に近接するように傾斜させた状態に保持して、前記液晶表示パネル３の一端部側を前記基準端壁５ｂの内側面に当接させ、さらに、図６（ａ）に示すように、前記液晶表示パネル３の一端部側の端面下辺を前記凹部５内の底壁５ａの上面に当接させる。
【００４３】
このとき、本実施例においては、フレームケースの基準端壁５ｂの内側面上部に、前記フレームケース１の基準端壁側に位置させる一端部が他端部側よりも前記フレームケース１に近接するように傾斜させた液晶表示パネル３の前記一端部を逃げ込ませることができる空間部が形成される。この空間部を利用することにより、前記液晶表示パネル３の一端部側の端面下辺を前記凹部５内の底壁５ａの上面に当接させる。そして、なるべく基準面としての前記基準端壁５ｂの内側面近傍に前記液晶表示パネル３の一端部側を位置させるべく、前記液晶表示パネルの一端部側の端面下辺と前記凹部５の底壁５ａあるいはバックライトユニットの最上面との当接部（接線）を中心軸として、前記液晶表示パネル３の他端部側を前記凹部５内へ回動させて、前記一端部の下辺を前記基準面となるフレームケース１の基準端壁５ｂの近傍へ引き寄せるように試み、最終的に、図６（ｂ）に示すように、前記凹部５内に収納する。
【００４４】
このように、本実施例のフレームケース１によれば、前記フレームケース１の基準端壁の内側面上部に形成されるテーパ面を利用することにより、前記液晶表示パネルを従来よりも格段に前記基準端壁５ｂの内側面近くに位置させることができるので、前記液晶表示パネル３を、前記液晶表示パネルの収納時の基準面となる前記フレームケース１の基準端壁５ｂの内側面との隙間を従来に比して小さいものとして、前記凹部５内の適正位置に配置することができる。
【００４５】
また、本実施例においては、前記基準端壁５ｂの近傍領域に両面テープ１０を配設しないことにより、前記液晶表示パネル３を前記凹部５内へ収納する作業時において、前記液晶表示パネル３の前記一端部側の端面下辺を収納するときの基準面となる、前記フレームケース１の凹部５の基準端壁５ｂへ引き寄せる際に、前記液晶表示パネル３の前記一端部側の端面下辺を両面テープ１０に当接させないようにすることができる。
【００４６】
これにより、前記液晶表示パネル３を前記凹部５の底壁５ａ上で摺動させ易くなり、作業性を向上させることができるとともに、フレームケース１の凹部５内における液晶表示パネル１の位置決めをより確実に行うことが可能となる。
【００４７】
そして、このように前記フレームケース１内に液晶表示パネル４およびバックライトユニットが収納された液晶表示装置は、フレームケース１内における液晶表示パネル３の位置ずれを原因とする輝度や輝度比の問題が生じ難くなるため、良好な表示品質を示すことができるものとなる。
【００４８】
なお、本発明は、前述した実施の形態に限定されるものではなく、必要に応じて種々の変更が可能である。
【００４９】
例えば、前記実施形態においては、前記収納部が凹部とバックライト収納部とから構成されたフレームケースを以て説明したが、本発明のフレームケースは前記収納部として１つの凹部を形成し、前記凹部内に液晶表示パネルおよびバックライトユニットを収納する構成とするとともに、その凹部の基準端壁の内側面上部をテーパ面に形成してもよい。その場合、同一の凹部内に既に収納されているバックライトユニットの上面に、前記テーパ面を利用して、液晶表示パネルが前記凹部内における適正位置に収納されることとなる。
【００５０】
また、上述の実施形態においては、液晶表示装置について説明したが、本発明はそれに限定されず、他の表示装置、例えば、有機ＥＬ表示装置などを用いた場合に適用してもよい。
【図面の簡単な説明】
【００５１】
【図１】本発明のフレームケースの一実施形態における平面図
【図２】図１のフレームケースのII−II断面図
【図３】図１のフレームケースのIII−III断面図
【図４】（ａ）は本実施形態のフレームケースの実施例１における液晶表示パネルの収納方法を示す要部断面図であり、（ｂ）は収納状態を示す要部断面図
【図５】（ａ）は本実施形態のフレームケースの実施例２における液晶表示パネルの収納方法を示す要部断面図であり、（ｂ）は収納状態を示す要部断面図
【図６】（ａ）は本実施形態のフレームケースの実施例３における液晶表示パネルの収納方法を示す要部断面図であり、（ｂ）は収納状態を示す要部断面図
【符号の説明】
【００５２】
１  フレームケース
３  液晶表示パネル
４  収納部
５  凹部
５ａ  底壁
５ｂ  基準端壁
５ｃ  他端壁
５ｄ  開口部  
６  バックライト収納部
６ａ  底壁
６ｂ  基準端壁
６ｃ  他端壁
６ｄ  開口部
８  テーパ面
１０  両面テープ
【図１】
2006126223.tif 000003
【図２】
2006126223.tif 000004
【図３】
2006126223.tif 000005
【図４】
2006126223.tif 000006
【図５】
2006126223.tif 000007
【図６】
2006126223.tif 000008